(57)【要約】【課題】複数の光源を有すると共に、点灯させる光源の数が選択可能に構成された投写型映像表示装置において、常に安定した画像を表示させることができる投写型映像表示装置を提供することを課題とする。【解決手段】複数の光源から出射された光を液晶パネルを介して投写すると共に、点灯させる光源の数が選択可能に構成された投写型映像表示装置において、光軸に対して液晶パネルと対向する位置に配置された偏光板と、偏光板を冷却する冷却機構と、点灯している光源の数を検出する点灯状態検出手段と、点灯状態検出手段の出力に基づいて偏光板の温度が略一定になるように冷却機構を制御する制御手段とを備える。【選択図】  図４
2006343365.tif 000002
【特許請求の範囲】
【請求項１】
複数の光源から出射された光を液晶パネルを介して投写すると共に、点灯させる光源の数が選択可能に構成された投写型映像表示装置において、光軸に対して液晶パネルと対向する位置に配置された偏光板と、偏光板を冷却する冷却機構と、点灯している光源の数を検出する点灯状態検出手段と、点灯状態検出手段の出力に基づいて偏光板の温度が略一定になるように冷却機構を制御する制御手段とを備えたことを特徴とする投写型映像表示装置。
【請求項２】
前記冷却機構は、液晶パネルを冷却する機能をさらに備え、前記点灯状態検出手段の出力に基づいて液晶パネルの温度が略一定になるように冷却機構を制御する制御手段を備えたことを特徴とする請求項１記載の投写型映像表示装置。
【請求項３】
前記投写型映像表示装置は、位相差板と位相差補償用光学素子とをさらに備えると共に、前記冷却機構は、位相差板と位相差補償用光学素子とを冷却する機能をさらに備え、前記点灯状態検出手段の出力に基づいて位相差板と位相差補償用光学素子の温度が略一定になるように冷却機構を制御する制御手段を備えたことを特徴とする請求項１または請求項２記載の投写型映像表示装置。
【請求項４】
前記点灯状態検出手段は、点灯している光源の消費電力を検出する消費電力検出部から構成されていることを特徴とする請求項１乃至請求項３の何れか１項に記載の投写型映像表示装置。
【請求項５】
前記点灯状態検出手段は、投写型映像表示装置から投写される光の照度を検出する照度センサから構成されていることを特徴とする請求項１乃至請求項３の何れか１項に記載の投写型映像表示装置。
【請求項６】
複数の光源から出射された光を液晶パネルを介して投写すると共に、点灯させる光源の数が選択可能に構成された投写型映像表示装置において、光軸に対して液晶パネルと対向する位置に配置された偏光板と、偏光板を冷却する冷却機構と、点灯している光源の消費電力を検出する消費電力検出部と、投写型映像表示装置から投写される光の照度を検出する照度センサと、消費電力検出部と照度センサの出力に基づいて偏光板の温度が略一定になるように冷却機構を制御する制御手段とを備えたことを特徴とする投写型映像表示装置。
【発明の詳細な説明】
【技術分野】
【０００１】
本発明は複数の光源を有すると共に、点灯させる光源の数が可変可能に構成された投写型映像表示装置に関する。
【背景技術】
【０００２】
液晶パネルを透過した光が入射する偏光板を略一定温度に冷却する投写型映像表示装置としては以下のものが知られている。
【０００３】
即ち、映像信号に含まれる黒信号あるいは輝度レベルが黒に近い信号（黒レベル信号）の検出を行い、所定時間に検出される黒レベル信号の積分値が閾値を超えた場合には、冷却ファンの回転数を上げて偏光板の冷却を促進し、所定時間に検出される黒レベル信号の積分値が閾値以下の場合には、冷却ファンの回転数を下げて偏光板の過冷却を抑制するものである（例えば特許文献１参照）。
【特許文献１】特開２００１−９２０１５号公報
【発明の開示】
【発明が解決しようとする課題】
【０００４】
上記構成において、所定時間に検出される黒レベル信号の積分値が閾値を超えた状態、即ち、偏光板に吸収される光の量が多くなることにより偏光板の温度が上昇している状態と、所定時間に検出される黒レベル信号の積分値が閾値以下の状態、即ち、偏光板に吸収される光の量が少なくなることにより偏光板の温度が低下している状態とでは、偏光板の偏光フィルムは熱による収縮率が異なる。
【０００５】
このため、偏光フィルムの熱収縮による位相差バラツキの分布も変化し、黒表示において発生していた僅かな表示ムラも変動して、表示品質の低下を招く虞があった。
【０００６】
従って、所定時間に検出される黒レベル信号の積分値が閾値を超えた状態と、所定時間に検出される黒レベル信号の積分値が閾値以下の状態とにおいて、冷却ファンの回転数を制御することにより偏光板の温度を略一定になるようにし
て表示品質の低下を図っている。
【０００７】
しかしながら、複数の光源を有すると共に、点灯させる光源の数が選択可能な投写型映像表示装置においては、点灯させる光源の数による偏光板への熱影響の方が、黒レベル信号の積分値による影響に比べて極めて大きくなるため、背景技術のように、黒レベル信号の積分値に基づいて偏光板の温度制御を行っても表示品質の低下を招く欠点があった。
【０００８】
そこで本発明は、複数の光源を有すると共に、点灯させる光源の数が選択可能な投写型映像表示装置において、常に安定した画像を表示させることができる投写型映像表示装置を提供することを課題とする。
【課題を解決するための手段】
【０００９】
上記課題を解決するための第１の手段は、複数の光源から出射された光を液晶パネルを介して投写すると共に、点灯させる光源の数が選択可能に構成された投写型映像表示装置において、光軸に対して液晶パネルと対向する位置に配置された偏光板と、偏光板を冷却する冷却機構と、点灯している光源の数を検出する点灯状態検出手段と、点灯状態検出手段の出力に基づいて偏光板の温度が略一定になるように冷却機構を制御する制御手段とを備えたことを特徴とする。
【００１０】
上記課題を解決するための第１の手段において、前記冷却機構は、液晶パネルを冷却する機能をさらに備え、前記点灯状態検出手段の出力に基づいて液晶パネルの温度が略一定になるように冷却機構を制御する制御手段を備えてもよい。
【００１１】
また、前記投写型映像表示装置は、位相差板と位相差補償用光学素子とをさらに備えると共に、前記冷却機構は、位相差板と位相差補償用光学素子とを冷却する機能をさらに備え、前記点灯状態検出手段の出力に基づいて位相差板と位相差補償用光学素子の温度が略一定になるように冷却機構を制御する制御手段を備えてもよい。
【００１２】
また、前記点灯状態検出手段は、点灯している光源の消費電力を検出する消費電力検出部から構成されてもよい。
【００１３】
また、前記点灯状態検出手段は、投写型映像表示装置から投写される光の照度を検出する照度センサから構成されてもよい。
【００１４】
上記課題を解決するための第２の手段は、複数の光源から出射された光を液晶パネルを介して投写すると共に、点灯させる光源の数が選択可能に構成された投写型映像表示装置において、光軸に対して液晶パネルと対向する位置に配置された偏光板と、偏光板を冷却する冷却機構と、点灯している光源の消費電力を検出する消費電力検出部と、投写型映像表示装置から投写される光の照度を検出する照度センサと、消費電力検出部と照度センサの出力に基づいて偏光板の温度が略一定になるように冷却機構を制御する制御手段とを備えたことを特徴とする。
【発明の効果】
【００１５】
本発明の請求項１の構成によると、点灯させる光源の数に応じて冷却機構を制御することができるため、点灯させる光源の数による偏光板の偏光フィルムの熱収縮量にバラツキが生じることを防止することができ、表示品質の安定化を図ることができる等の効果を奏する。
【００１６】
本発明の請求項２の構成によると、偏光板と同時に液晶パネルも光源から発生する熱量に応じた冷却を行うことができるため、液晶パネルの表示品質の安定化を図ることができる等の効果を奏する。
【００１７】
本発明の請求項３の構成によると、位相差板と位相差補償用光学素子は、光源から発生する熱量に応じた冷却を行うことができるため、位相差板と位相差補償用光学素子の品質を安定させることができる等の効果を奏する。
【００１８】
本発明の請求項４の構成によると、消費電力検出部により、点灯させる光源の数に応じて冷却機構を制御することができるため、点灯させる光源の数による偏光板の偏光フィルムの熱収縮量にバラツキが生じることを防止することができ、表示品質の安定化を図ることができると共に、寿命等により点灯しない状態になっている光源が存在していることを検出することができる等の効果を奏する。
【００１９】
本発明の請求項５の構成によると、照度センサにより、点灯させる光源の数に応じて冷却機構を制御することができるため、点灯させる光源の数による偏光板の偏光フィルムの熱収縮量にバラツキが生じることを防止することができ、表示品質の安定化を図ることができると共に、寿命等により点灯しない状態になっている光源が存在していることを検出することができる等の効果を奏する。
【００２０】
本発明の請求項６の構成によると、点灯させる光源の数に応じて冷却機構を制御することができるため、点灯させる光源の数による偏光板の偏光フィルムの熱収縮量にバラツキが生じることを防止することができ、表示品質の安定化を図ることができると共に、寿命等により点灯しない状態になっている光源が存在していることを検出することができる。また、光源の寿命等により照度が低下した場合でも、光源の照度低下による、偏光板の偏光フィルムの熱収縮量にバラツキが生じることを防止することができ、表示品質の安定化を図ることができる等の効果を奏する。
【発明を実施するための最良の形態】
【００２１】
（第１実施形態）
本発明の第１実施形態を図１乃至図５に基づいて以下に詳述する。
【００２２】
図１は、本実施形態の４灯３板式液晶プロジェクタの光学系及び点灯制御系を示した図である。照明装置１は、対向配置された二つの光源１ａ，１ｂ及び同対向配置された二つの光源１ｃ，１ｄと、光源１ａ，１ｂ間に配置された光路変更部材２と、光源１ｃ，１ｄ間に配置された光路変更部材３とから構成されている。各光源１ａ、１ｂ、１ｃ、１ｄは、超高圧水銀ランプ、メタルハライドランプ、キセノンランプ等から成り、その照射光はパラボラリフレクタによって平行光となって出射され、インテグレータレンズ４へと導かれる。
【００２３】
インテグレータレンズ４は一対のレンズ群から構成されており、個々のレンズ部分が各光源１ａ，１ｂ，１ｃ，１ｄから出射された光を後述する液晶ライトバルブの全面に導くようになっている。インテグレータレンズ４を経た光は、偏光変換装置５、及び集光レンズ６を経た後、第１ダイクロイックミラー７へと導かれることになる。
【００２４】
変更変換装置５は、複数の偏光ビームスプリッタアレイ（以下、ＰＢＳアレイと称する）によって構成されているものである。ＰＢＳアレイは、反射膜と偏光分離膜と位相差板（１／２λ板）とを備える（いずれも図示せず）。偏光分離膜はインテグレータレンズ４におけるレンズ群４ｂのレンズ中心に対応して位置する。ＰＢＳアレイは、インテグレータレンズ４からの光のうち例えばＰ偏光を通過させ、Ｓ偏光を９０°光路変更して前記反射膜にて反射させて出射する。
【００２５】
ＰＢＳアレイを透過したＰ偏光はその前側（光出射側）に設けてある位相差板によってＳ偏光に変換されて出射される。すなわち、ほぼ全ての光はＳ偏光に変換されるようになっている。
【００２６】
第１ダイクロイックミラー７は、赤色波長帯域の光を透過し、シアン（緑＋青）の波長帯域の光を反射する。第１ダイクロイックミラー７を透過した赤色波長帯域の光は、凹レンズ８を経て反射ミラー９にて反射されて光路を変更される。反射ミラー９にて反射された赤色光はレンズ１０を経て赤色光用の透過型の液晶ライトバルブ３１を透過することによって光変調される。一方、第１ダイクロイックミラー７にて反射したシアンの波長帯域の光は、凹レンズ１１を経て第２ダイクロイックミラー１２に導かれる。
【００２７】
第２ダイクロイックミラー１２は、青色波長帯域の光を透過し、緑色波長帯域の光を反射する。第２ダイクロイックミラー１２にて反射した緑色波長帯域の光は、レンズ１３を経て緑色光用の透過型の液晶ライトバルブ３２に導かれ、これを透過することで光変調される。また、第２ダイクロイックミラー１２を透過した青色波長帯域の光は、リレーレンズ１４、全反射ミラー１５、リレーレンズ１６、反射ミラー１７、及びリレーレンズ１８を経て青色光用の透過型の液晶ライトバルブ３３に導かれ、これを透過することで光変調される。
【００２８】
各液晶ライトバルブ３１，３２，３３は、入射側偏光板３１ａ，３２ａ，３３ａと、一対のガラス基板（画素電極や配向膜を形成してある）間に液晶を封入して成る液晶パネル３１ｂ，３２ｂ，３３ｂと、出射側偏光板３１ｃ，３２ｃ，３３ｃとを備えている。入射側偏光板３１ａ，３２ａ，３３ａは、第１実施形態ではＰ偏光を吸収し、Ｓ偏光を透過させる。
【００２９】
液晶ライトバルブ３１，３２，３３を経ることで変調された変調光（各色映像光）は、ダイクロイックプリズム１９によって合成されてカラー映像光となる。このカラー映像光は、投写レンズ２０によって拡大投写され、スクリーン２１上に投影表示される。
【００３０】
通電制御部３７は、光源１ａ，１ｂ，１ｃ，１ｄの４灯全てを点灯させる場合と、４灯の内２灯だけを点灯させる場合に操作する図示しない切換スイッチの操作に基づいて、光源に通電させる電流を制御するようになっている。消費電力検出部３６は、光源の電力消費状態を監視しており、検出した消費電力に基づいて点灯している光源の数が検出できるようになっている。
【００３１】
各液晶ライトバルブ３１，３２，３３には冷却ファン４０から冷却流路４１を介して冷却風が供給されるようになっている（図２参照）。冷却ファン４０は、光源１ａ，１ｂ，１ｃ，１ｄの４灯全てが点灯している状態で、各液晶ライトバルブ３１，３２，３３が最適に冷却されるように設定されている。従って、図示しない切換スイッチの操作によって２灯点灯の選択を行った場合には、各液晶ライトバルブ３１，３２，３３が冷え過ぎの状態になってしまい、各偏光板３１ａ、３２ａ、３３ａ及び３１ｃ、３２ｃ、３３ｃの偏光フィルムの熱による収縮量が小さくなるため、位相差バラツキの分布も変化し、黒表示において発生していた僅かな表示ムラも変動してしまい表示品質の低下を招く虞があった。
【００３２】
そこで、本発明の第１実施形態では、下記のような制御を行うことにより上述した不都合を解消している。
【００３３】
図３は、本発明の第１実施形態のブロック図を示している。投写型映像表示装置を制御する制御部４２には、消費電力検出部３６及び通電制御部３７からの信号が入力され、冷却ファン４０の運転を制御するようになっている。
【００３４】
次に、制御部４２による冷却ファン４０の具体的な制御について、図４に示すフローチャートに基づいて詳述する。
【００３５】
電源投入後、消費電力検出部３６は光源の消費電力状態を検出し、その検出値が４灯の電力消費に相当するＡレベル以上であるか否かをＳ１において制御部４２は判断する。Ｓ１においてＹＥＳの場合、即ち、光源の４灯が全て点灯している場合は、冷却ファン４０を強運転させて４灯からの熱によって高温になる各偏光板３１ａ、３２ａ、３３ａ、３１ｃ、３２ｃ、３３ｃ及び各液晶パネル３１ｂ、３２ｂ、３３ｂの冷却を促進させる（Ｓ２）。
【００３６】
消費電力検出部３６の検出値が３灯の電力消費に相当するＢレベル以上である場合には（Ｓ１のＮＯ→Ｓ３のＹＥＳ）、１灯が寿命等により点灯しない状態になっていると判断し、Ｓ４において光源交換警告を発生させると共に、冷却ファン４０を中運転させることにより、光源からの発熱量低下に伴った最適な各偏光板３１ａ、３２ａ、３３ａ、３１ｃ、３２ｃ、３３ｃ及び各液晶パネル３１ｂ、３２ｂ、３３ｂの冷却を行う（Ｓ５）。
【００３７】
消費電力検出部３６の検出値が２灯の電力消費に相当するＣレベル以上である場合には（Ｓ３のＮＯ→Ｓ６のＹＥＳ）、冷却ファン４０を弱運転させて２灯からの発熱量に対応した各偏光板３１ａ、３２ａ、３３ａ、３１ｃ、３２ｃ、３３ｃ及び各液晶パネル３１ｂ、３２ｂ、３３ｂの冷却を行う（Ｓ７）。
【００３８】
消費電力検出部３６の検出値がＣレベル未満である場合には（Ｓ６のＮＯ）、１灯が寿命等により点灯しない状態になっていると判断し、Ｓ８において光源交換警告を発生させると共に、冷却ファン４０を微弱運転させることにより、光源からの発熱量低下に伴った最適な各偏光板３１ａ、３２ａ、３３ａ、３１ｃ、３２ｃ、３３ｃ及び各液晶パネル３１ｂ、３２ｂ、３３ｂの冷却を行う（Ｓ９）。
【００３９】
このようにして、点灯させる光源の数に応じて冷却ファン４０の運転状態を制御することができるため、点灯させる光源の数による各偏光板３１ａ、３２ａ、３３ａ及び３１ｃ、３２ｃ、３３ｃの偏光フィルムの熱収縮量にバラツキが生じることを防止することができ、表示品質の安定化を図ることができる。
【００４０】
また、消費電力検出部３６により、寿命等により点灯しない状態になっている光源が存在していることを検出することができると共に、光源交換の必要性を警告により使用者に認識させることもできる。
【００４１】
また、各偏光板３１ａ、３２ａ、３３ａ及び３１ｃ、３２ｃ、３３ｃと同時に各液晶パネル３１ｂ、３２ｂ、３３ｂも光源から発生する熱量に応じた冷却を行うことができるため、各液晶パネル３１ｂ、３２ｂ、３３ｂの表示品質の安定化を図ることもできる。
【００４２】
このような制御を行った実験結果を以下に詳述する。
【００４３】
光源の４灯全てが点灯している状態で、偏光板の偏光フィルムの熱収縮による位相差バラツキの分布が変化しないように、冷却ファン４０を強運転させる。
【００４４】
光源の４灯全てが点灯している状態では、照度が９７００ｌｍであり、この時のＲ，Ｇ，Ｂの各出射側の偏光板３１ｃ、３２ｃ、３３ｃの温度は、夫々７０℃、７７℃、７１℃であった。また、この時、スクリーンに投写した時の黒画面におけるＣＩＥ色度を測定した結果、（ｘ、ｙ）値の面内のばらつき（Δｘ、Δｙ）は（０．０２５，０．０６４）であった。
【００４５】
冷却ファン４０の強運転状態を変えることなく光源の２灯を消灯して、２灯点灯の状態にすると、明るさは４９００ｌｍとなり、この時のＲ，Ｇ，Ｂの各出射側の偏光板３１ｃ、３２ｃ、３３ｃの温度は、夫々６４℃、７０℃、６３℃であった。また、この時、スクリーンに投写した時の黒画面におけるＣＩＥ色度を測定した結果、（ｘ、ｙ）値の面内のばらつき（Δｘ、Δｙ）は（０．０２９，０．０７８）と増加した。
【００４６】
これは、冷却ファン４０が強運転の状態で、光源が４灯点灯状態から２灯点灯状態に変化したことによって、偏光板３１ｃ、３２ｃ、３３ｃの偏光フィルムの温度が低下したためである。
【００４７】
そこで、光源が４灯点灯状態から２灯点灯状態に変化した状態で、偏光板３１ｃ、３２ｃ、３３ｃの偏光フィルムの温度を略一定にするために、冷却ファン４０を弱運転に切換えると、Ｒ，Ｇ，Ｂの各出射側の偏光板３１ｃ、３２ｃ、３３ｃの温度は、夫々６９℃、７６℃、７１℃となった。また、この時、スクリーンに投写した時の黒画面におけるＣＩＥ色度を測定した結果、（ｘ、ｙ）値の面内のばらつき（Δｘ、Δｙ）は（０．０２６，０．０５９）となった。
【００４８】
このようにして、光源を４灯点灯から２灯点灯に切換えた時、偏光板３１ｃ、３２ｃ、３３ｃの偏光フィルムの温度の温度が略一定になるように、冷却ファン４０の回転数を低下させることにより、黒表示において表示ムラが変動することがなく、表示品質の低下を防止することができた。
【００４９】
本発明の第１実施形態では、液晶パネル３１ａ，３２ａ，３３ａの出射側の偏光板３１ｃ、３２ｃ、３３ｃの温度を測定したが、液晶パネル３１ａ，３２ａ，３３ａの入射側の偏光板３１ａ，３２ａ，３３ａの温度についても同様な温度変化量であるので測定は行っていない。
【００５０】
また、本発明の第１実施形態では、液晶パネル３１ａ，３２ａ，３３ａの入射側と出射側に夫々偏光板３１ａ，３２ａ，３３ａ及び３１ｃ、３２ｃ、３３ｃを配置した構成にしたが、この構成に限定されるものではない。液晶パネル３１ａ，３２ａ，３３ａの出射側のみに偏光板３１ｃ、３２ｃ、３３ｃを配置した構成にしてもよい。
【００５１】
また、本発明の第１実施形態において、図５に示すように、液晶パネル３１ａ，３２ａ，３３ａの入射側の偏光板３１ａ，３２ａ，３３ａの入射面側に、光の偏光方向を揃える位相差板４３及び液晶パネル３１ａ，３２ａ，３３ａの入射側の、液晶パネル３１ａ，３２ａ，３３ａと偏光板３１ａ，３２ａ，３３ａとの間に、コントラストを上げるための位相差補償用光学素子４４を配置し、位相差板４３と位相差補償用光学素子４４も冷却ファン４０により、光源の点灯状態に応じて略一定温度になるように制御する構成にしてもよい。この構成により、位相差板４３と位相差補償用光学素子４４の品質を安定させることができる。
（第２実施形態）
図６乃至図８は本発明の第２実施形態を示している。尚、第１実施形態と同一部品にいては、同一符号を付して説明は省略する。第１実施形態では、消費電力検出部３６により点灯している光源の数を検知したが、第２実施形態では、スクリーン２１に投写された映像の照度を検知する照度センサ４５を本体ケース４６の前面に備え、照度センサ４５の検出値に基づいて、点灯している光源の数を検出する構成になっている。
【００５２】
図７は、本発明の第２実施形態のブロック図を示している。投写型映像表示装置を制御する制御部４２ａには、照度センサ４５及び通電制御部３７からの信号が入力され、冷却ファン４０の運転を制御するようになっている。
【００５３】
次に、制御部４２ａによる冷却ファン４０の具体的な制御について、図８に示すフローチャートに基づいて詳述する。
【００５４】
電源投入後、照度センサ４５はスクリーン２１に投写された映像の照度を検出すると共に、その検出値が４灯点灯時の照度に相当するαレベル以上であるか否かをＳ２１において制御部４２ａは判断する。Ｓ２１においてＹＥＳの場合、即ち、光源の４灯が全て点灯している場合は、冷却ファン４０を強運転させて４灯からの熱によって高温になる偏光板３１ａ，３２ａ，３３ａ及び３１ｃ、３２ｃ、３３ｃの冷却を促進させる（Ｓ２２）。
【００５５】
照度センサ４５の検出値が３灯点灯に相当するβレベル以上である場合には（Ｓ２１のＮＯ→Ｓ２３のＹＥＳ）、１灯が寿命等により点灯しない状態になっていると判断し、Ｓ２４において光源交換警告を発生させると共に、冷却ファン４０を中運転させることにより、光源からの発熱量低下に伴った最適な偏光板３１ａ，３２ａ，３３ａ及び３１ｃ、３２ｃ、３３ｃの冷却を行う（Ｓ２５）。
【００５６】
照度センサ４５の検出値が２灯点灯に相当するγレベル以上である場合には（Ｓ２３のＮＯ→Ｓ２６のＹＥＳ）、冷却ファン４０を弱運転させて２灯点灯時の発熱量に対応させた偏光板３１ａ，３２ａ，３３ａ及び３１ｃ、３２ｃ、３３ｃの冷却を行う（Ｓ２７）。
【００５７】
照度センサ４５の検出値がγレベル未満である場合には（Ｓ２６のＮＯ）、１灯が寿命等により点灯しない状態になっていると判断して光源交換警告を発生させる（Ｓ２８）と共に、冷却ファン４０を微弱運転させることにより、光源からの発熱量低下に伴った最適な偏光板３１ａ，３２ａ，３３ａ及び３１ｃ、３２ｃ、３３ｃの冷却を行う（Ｓ２９）。
【００５８】
このようにして、照度センサ４５により、点灯させる光源の数に応じて冷却ファン４０の運転状態を制御することができるため、点灯させる光源の数による偏光板の偏光フィルムの熱収縮量にバラツキが生じることを防止することができ、表示品質の安定化を図ることができる。
【００５９】
また、照度センサ４５により、寿命等により点灯しない状態になっている光源が存在していることを検出することができると共に、光源交換の必要性を警告により使用者に認識させることができる。
（第３実施形態）
図９及び図１０は本発明の第３実施形態を示している。尚、第１実施形態及び第２実施形態と同一部品については、同一符号を付して説明は省略する。第３実施形態では、消費電力検出部３６と照度センサ４５とを備え、長期使用に伴う光源の照度低下に対応して冷却ファン４０が制御できる構成となっている。
【００６０】
図９は、本発明の第３実施形態のブロック図を示している。投写型映像表示装置を制御する制御部４２ｂには、消費電力検出部３６、通電制御部３７及び照度センサ４５からの信号が入力され、冷却ファン４０の運転を制御するようになっている。
【００６１】
次に、制御部４２ｂによる冷却ファン４０の具体的な制御について、図１０に示すフローチャートに基づいて詳述する。
【００６２】
電源投入後、消費電力検出部３６は光源の電力消費状態を検出し、その検出値が４灯の電力消費に相当するＡレベル以上であるか否かをＳ３１において制御部４２ｂは判断する。Ｓ３１においてＹＥＳの場合、即ち、光源の４灯が全て点灯している場合は、Ｓ３２において点灯している光源の照度を照度センサ４５により検出し、照度センサ４５の検出値が４灯点灯時の照度に相当するαレベル以上である場合は（Ｓ３２のＹＥＳ）、冷却ファン４０を強運転させて４灯からの熱により高温による各偏光板３１ａ、３２ａ、３３ａ及び３１ｃ、３２ｃ、３３ｃの冷却を促進させる（Ｓ３３）。
【００６３】
Ｓ３２において、照度センサ４５の検出値が４灯点灯時の照度に相当するαレベル未満である場合は（Ｓ３２のＮＯ）、光源が寿命等により暗くなっている状態になっていると判断し、Ｓ３４において光源交換警告を発生させると共に、冷却ファン４０を中運転させることにより、光源からの発熱量低下に伴った最適な偏光板３１ａ，３２ａ，３３ａ及び３１ｃ、３２ｃ、３３ｃの冷却を行う（Ｓ３５）。
【００６４】
消費電力検出部３６の検出値が３灯の電力消費に相当するＢレベル以上である場合には（Ｓ３１のＮＯ→Ｓ３６のＹＥＳ）、１灯が寿命等により点灯しない状態になっていると判断して光源交換警告を発生させる（Ｓ３７）と共に、冷却ファン４０を中運転させることにより、光源からの発熱量低下に伴った最適な各偏光板３１ａ、３１ｂ、３１ｃ及び３１ｃ、３２ｃ、３３ｃの冷却を行う（Ｓ３８）。
【００６５】
消費電力検出部３６の検出値が２灯の電力消費に相当するＣレベル以上である場合には（Ｓ３６のＮＯ→Ｓ３９のＹＥＳ）、Ｓ４０において点灯している光源の照度を照度センサ４５により検出し、照度センサ４５の検出値が２灯点灯時の照度に相当するγレベル以上である場合は（Ｓ４０のＹＥＳ）、冷却ファン４０を弱運転させて、２灯からの発熱量に対応した各偏光板３１ａ、３２ａ、３３ａ及び３１ｃ、３２ｃ、３３ｃの冷却を行う（Ｓ４１）。
【００６６】
また、Ｓ４０において、照度センサ４５の検出値がγレベル未満である場合には、光源が寿命等により暗くなっている状態になっていると判断し、光源交換警告を発生させる（Ｓ４１）と共に、冷却ファン４０を微弱運転させることにより、光源からの発熱量低下に伴った最適な偏光板３１ａ，３２ａ，３３ａ及び３１ｃ、３２ｃ、３３ｃの冷却を行う（Ｓ４２）。
【００６７】
また、Ｓ３９において、消費電力検出部３６の検出値がＣレベル未満である場合には、１灯が寿命等により点灯しない状態になっていると判断して光源交換警告を発生させる（Ｓ４３）と共に、冷却ファン４０を微弱運転させることにより、光源からの発熱量低下に伴った最適な各偏光板３１ａ、３１ｂ、３１ｃ及び３１ｃ、３２ｃ、３３ｃの冷却を行う（Ｓ４４）。
【００６８】
このようにして、点灯させる光源の数に応じて冷却ファン４０の運転状態を制御することができるため、点灯させる光源の数による各偏光板３１ａ、３１ｂ、３１ｃ及び３１ｃ、３２ｃ、３３ｃの偏光フィルムの熱収縮量にバラツキが生じることを防止することができ、表示品質の安定化を図ることができる。
【００６９】
また、消費電力検出部３６により、寿命等により点灯しない状態になっている光源が存在していることを検出することができると共に、光源交換の必要性を警告により使用者に認識させることができる。
【００７０】
さらに、光源の寿命等により照度が低下した場合でも、消費電力検出部３６と照度センサ４５により検出することができ、光源の照度低下による、各偏光板３１ａ、３２ａ、３３ａ及び３１ｃ、３２ｃ、３３ｃの偏光フィルムの熱収縮量にバラツキが生じることを防止することができ、表示品質の安定化を図ることができる。
【図面の簡単な説明】
【００７１】
【図１】本発明の第１実施形態の液晶プロジェクタの光学系を示す平面図である。
【図２】同偏光板の冷却構造を示す側断面図である。
【図３】同制御を示すブロック図である。
【図４】同制御を示すフローチャートである。
【図５】同偏光板の他の冷却構造の実施例を示す側断面図である。
【図６】本発明の第２実施形態の液晶プロジェクタの外観を示す斜視図である。
【図７】同制御を示すブロック図である。
【図８】同制御を示すフローチャートである。
【図９】本発明の第３実施形態の液晶プロジェクタの制御を示すブロック図である。
【図１０】同制御を示すフローチャートである。
【符号の説明】
【００７２】
１ａ    光源
１ｂ    光源
１ｃ    光源
１ｄ    光源
３１ａ  偏光板
３２ａ  偏光板
３３ａ  偏光板
３１ｂ  液晶パネル
３２ｂ  液晶パネル
３３ｂ  液晶パネル
３１ｃ  偏光板
３２ｃ  偏光板
３３ｃ  偏光板
３６    消費電力検出部（点灯状態検出部）
４０    冷却ファン（冷却機構）
４２    制御部（制御手段）
４２ａ  制御部（制御手段）
４２ｂ  制御部（制御手段）
４３    位相差板
４４    位相差補償用光学素子
４５    照度センサ（点灯状態検出部）
【図１】
2006343365.tif 000003
【図２】
2006343365.tif 000004
【図３】
2006343365.tif 000005
【図４】
2006343365.tif 000006
【図５】
2006343365.tif 000007
【図６】
2006343365.tif 000008
【図７】
2006343365.tif 000009
【図８】
2006343365.tif 000010
【図９】
2006343365.tif 000011
【図１０】
2006343365.tif 000012